(57)【要約】【課題】  使用者が無理な姿勢を取ることなく、研磨体を患部に対し比較的安定した姿勢で容易に使用することができ、また、患部への当たり面の角度を簡単に変えることができる角質除去器を提供する。【解決手段】  ハンドル１と、ヘッド２と、研磨体３と、駆動機構とを具備する角質除去器であって、ハンドル１の伸長軸に対する研磨体３の回転軸３Ａの開き角度θ（内角）を、９０超１８０未満の傾斜角度となるよう、研磨体３の回転軸３Ａを傾斜変位させたことを特徴とする。研磨体３は軸方向位置の変化に伴って回転径が徐々に変位（拡径または縮径）する径変位部を有した回転体からなる。【選択図】図１
0003211134.tif 000002
【実用新案登録請求の範囲】
【請求項１】
長さ方向の過半部が所定のハンドル軸に沿って伸長するハンドルと、
ハンドル軸の先側からさらに伸長し、伸長基部及び伸長先部にそれぞれ側方突出した突出保持部を有し、各突出保持部で研磨体の回転軸の両端を保持するヘッドと、
表面を研磨面とする回転体形状からなり、２つの突出保持部によって軸回転可能に保持された研磨体と、
突出保持部ないしハンドルに内装されて研磨体を回転駆動させる駆動機構と、を具備する角質除去器であって、
ハンドルの伸長軸に対する研磨体の回転軸の開き角度が９０超１８０未満の傾斜角度となるよう、研磨体の回転軸を傾斜変位させたことを特徴とする角質除去器。
【請求項２】
前記研磨体は、軸方向位置の変化に伴って回転径が徐々に変位する径変位部を有した回転体からなる請求項１記載の角質除去器。
【請求項３】
前記ヘッドは、前記傾斜方向側と逆側の側方へそれぞれ突出した２つの突出保持部を有し、離間した２つの突出保持部によって研磨体を挟んで保持するものであり、突出保持部の間に、前記傾斜方向側に窪んだ凹面を有してなり、研磨体と凹面との間に所定の凹部空間が形成される請求項１又は２記載の角質除去器。
【請求項４】
前記研磨体の少なくとも一部、及び、前記凹部空間をまとめて覆うカバー体を、ヘッドの一部に着脱可能に具備する請求項１、２又は３のいずれか記載の角質除去器。
【請求項５】
前記カバー体は、装着した状態で研磨体の一部を露出させる露出孔部を有してなり、カバー体を装着した状態で研磨体を回転駆動させ得る請求項４に記載の角質除去器。
【考案の詳細な説明】
【技術分野】
【０００１】
本考案は、角化症によって人体各所に表れた、角質、角栓或いは胼胝腫といった角質類を除去するために使用する角質除去器に関する。
【背景技術】
【０００２】
角化症によってかかと、ひじ、ひざ等に表れる角質類が過剰に硬く又は厚くなると、歩行時などに足裏から受ける刺激がふくらはぎや血管まで届く前に角質に吸収されてしまうなど、様々な健康上の弊害が生じる。また美容上も角質類は体裁が悪い。このため角質類を除去する必要がある。
【０００３】
上記角質除去器として、従来、本体と、本体の開口を覆うプレートと、プレートの内側下部と接続されたモータであって、モータシャフトを備えたモータと、このモータシャフトの周りに嵌合されてモータシャフトの回転に伴い回転されることで、その中に使用者の足から分離された角質を集める角質収納部と、この角質収納部の上面を覆い、使用者の足の角質表面に接触して、角質収納部とともに回転して使用者の角質を除去するヤスリかけキャップと、を備えたものが開示される（特許文献１参照）。これは、プレートの上面に挿入された、円筒形状に突出したガイド部材であって、ヤスリかけキャップによって除去されている角質を外部に飛び散らせることなしに角質収納部に集めることができるように、前記角質収納部及び前記ヤスリかけキャップの外周部から所定距離を隔ててバリアを形成するガイド部材と、モータの下部に取り付けられた充電器と、オン及びオフ状態を制御するオン／オフ装置と、を備える。
【０００４】
また従来、ハンドル部分と、研摩表面を有するドラムを受入れて保持するように構成された２つのアームを有するヘッド部分とを含み、研摩表面が、ドラムの中央部における直径がドラムの端部の直径よりも大きい凸面湾曲形を有した皮膚研磨器具が開示される（特許文献２参照）。
【先行技術文献】
【特許文献】
【０００５】
【特許文献１】特表２０１０−５４００１８号公報
【特許文献２】特表２０１６−５０４９５３号公報
【考案の概要】
【考案が解決しようとする課題】
【０００６】
しかしながら、上記角質除去器や皮膚研磨器具は、研磨部がハンドルの軸に直交する研磨面を有するか、或いは研磨部がハンドルの軸に直交する回転軸で回転するものであり、いずれもハンドルの軸の先側を患部に垂直に当てることを使用方法の前提としたものである。このため、これらの器具を手に持って片足のひざやかかと、片腕のひじなどの施療部を研磨しようとすると、使用者が無理な姿勢を取ることを余儀なくされてしまい、安定した姿勢で研磨部を患部に当てて使用することが困難であった。また、角質類は使用者から見てて前川から両側部及び奥側にかけて研磨することが望ましいところ、前記従来のような、ハンドル軸の先側を患部に当てることを前提とした構造では、患部への当たり面の角度を簡単に変えることができなかった。
【０００７】
そこで本願は、使用者が無理な姿勢を取ることなく、研磨体を患部に対し比較的安定した姿勢で容易に使用することができ、また、患部への当たり面の角度を簡単に変えることができる角質除去器を提供することを課題とする。
【課題を解決するための手段】
【０００８】
課題を解決するため以下の手段を講じている。
【０００９】
〔１〕本考案は、長さ方向の過半部が所定のハンドル軸１Ａに沿って直線的に伸長するハンドル１と、
ハンドル軸１Ａの先側からさらに伸長し、伸長基部及び伸長先部にそれぞれ側方突出した突出保持部２１２を有し、各突出保持部２１２で研磨体３の回転軸３Ａの両端を保持するヘッド２と、
表面を研磨面とする回転体形状からなり、２つの突出保持部２１２によって軸回転可能に保持された研磨体３と、
突出保持部２１２ないしハンドル１に内装されて研磨体３を回転駆動させる駆動機構と、を具備する角質除去器であって、
ハンドル１の伸長軸に対する研磨体３の回転軸３Ａの開き角度（内角）が９０超１８０未満の傾斜角度Ｑとなるよう、研磨体３の回転軸３Ａを傾斜変位させたことを特徴とする。
【００１０】
すなわち、研磨体３の回転軸が、ハンドル１の伸長軸に対して、９０度（直交軸関係の角度）及び１８０度（平行軸関係の角度）のいずれも除く所定の開き角度をなすよう、それぞれの軸方向を傾斜設定したことを特徴とする。
【００１１】
実施例では、ヘッド２の伸長方向が、ハンドル１の伸長方向に対して、９０度（直交角度）を除く所定の開き角度で傾斜するように設定され、ヘッド２は、研磨体３の回転軸方向がヘッド２の伸長方向と平行となるように、研磨体３の両端を保持する。
【００１２】
〔２〕研磨体３は軸方向位置の変化に伴って回転径が徐々に変位（拡径または縮径）する径変位部を有した回転体からなることが好ましい。
【００１３】
このような構成であれば、研磨体の患部当接箇所を変えることで、患部への当接角度を様々なものに容易に調整することができる。特に、ハンドル１を周方向にずらして保持し、研磨体３の傾斜方向を変えて研磨体の径変位部を、患部周囲の任意の方向から当接させることで、突出形状の患部を突出頂部からその周囲にかけて研磨処置することができる。このとき、使用者から見て患部の向こう側も容易に研磨処置できる。
【００１４】
〔３〕ヘッド２は、前記傾斜方向側と逆側の側方へそれぞれ突出した２つの突出保持部を有し、離間した２つの突出保持部によって研磨体を挟んで保持するものであり、突出保持部の間に、前記傾斜方向側に窪んだ凹面２１０を有してなり、
研磨体３と凹面２１０との間に所定の凹部空間２０が形成されることが好ましい。
【００１５】
〔４〕  研磨体３の少なくとも一部、及び凹部空間をまとめて覆うカバー体４を、ヘッド２の一部に着脱可能に具備することが好ましい。
【００１６】
〔５〕  カバー体４は、装着した状態で研磨体３の一部を露出させる露出孔部を有してなり、カバー体を装着した状態で研磨体３を回転駆動させ得ることが好ましい。
【考案の効果】
【００１７】
上記構成であれば、研磨体の回転軸を、直交方向９０度を除く角度で傾斜させたため、使用者が本考案の角質除去器を持った手を自らのひじやひざ、足のかかとなどの患部に近づけ易く、無理な姿勢を取ることなく、研磨体を患部に対し比較的安定した姿勢で容易に使用することができる。また、持ち手の保持角度を腕に対して９０度（直交擦る角度）よりも大きくなるよう傾けて使用し、伸長軸を回転調整することで、傾斜方向を簡単に変えることができる。
【図面の簡単な説明】
【００１８】
【図１】本考案の実施例１の角質除去器の構成を示す正面図。
【図２】実施例１の角質除去器の構成を示す図１の平面図。
【図３】実施例１の角質除去器の、Ａ−Ａ範囲におけるＢ−Ｂ断面図。
【図４】カバーを装着した状態における、実施例１の角質除去器のＡ−Ａ範囲の部分正面図。
【図５】カバーを装着した状態における、実施例１の角質除去器の平面図。
【考案を実施するための最良の形態】
【００１９】
以下、本考案の最良の形態例を、実施例として示した図面に基づいて詳細に説明する。本考案の角質除去器は、人体のひじ、ひざ、かかとや手首等に生じた角質類（角化症によって人体各所に表れた角質、角栓或いは胼胝腫をいう）を患部としてこの患部に回転駆動させた研磨体３を当接させて、角質類を削って除去するものであって、以下の基本構成を具備する。
【００２０】
すなわち、図１及び図２に示すように長さ方向の過半部が所定のハンドル軸１Ａに沿って直線的に伸長するハンドル１と、
前記ハンドル軸１Ａに対して所定の傾斜角度Ｑで傾斜した傾斜軸２Ａに沿って伸長すると共にこの傾斜軸２Ａに沿った基部及び先端部それぞれから片側方へ突出した２つの突出保持部２１２を有するヘッド２と、
ヘッド２の離間した２つの突出保持部２１２によって挟まれる位置に、前記傾斜軸２Ａと平行な回転軸３Ａ周りに軸回転可能に保持された研磨体３と、
ハンドル１及びヘッド２の内部に収容され、研磨体３を回転駆動させる駆動機構（図３のようにモータ６Ｍ及び第一、第二、第三ギヤ６１，６２，６３からなる）と、を少なくとも具備して構成される。
【００２１】
また実施例では、二つの突出保持部２１２の上半部ないし下半部、及び研磨体３の過半部をまとめて覆う態様でヘッド２に（図４及び図５のように）装着可能であり、また必要に応じて（図１及び図２のように）取り外し可能なカバー体４を更に備え、
さらに、ヘッド２の内部に収容され、ヘッド２に保持された研磨体３をヘッド２から取り外し可能な状態とし得るリリース機構５（図３のように押しボタン５１及び伸縮可能な軸棒３２からなる）を更に備える。
【００２２】
かかる基本構成において、図１に示すように、ハンドル軸１Ａに対して傾斜軸２Ａが９０°よりもおおきくかつ１８０°よりも小さい傾斜角度Ｑで傾斜してなり、或いは、ハンドル軸１Ａに対して回転軸３Ａが９０°よりもおおきくかつ１８０°よりも小さい傾斜角度Ｑで傾斜してなることを特徴の一つとする。  実施例では、ヘッド２の伸長方向が、ハンドル１の伸長方向に対して、９０度（直交角度）を除く所定の開き角度で傾斜するように設定され、ヘッド２は、研磨体３の回転軸３Ａ方向がヘッド２の伸長方向の傾斜滋雨２Ａと平行となるように、片側方の外方へ一定のずらし距離ＳＬだけオフセット（平行にずらし移動）した状態で、研磨体３の回転軸３Ａの両端を保持している（図１）。なお、このずらし距離ＳＬは研磨体３の最大半径よりも大きく且つ前記最大半径の２倍よりも小さい値に設定されている。オフセットによって研磨屑を収容する凹部空間２０を確保し、かつ、傾斜軸２Ａからさらに傾斜方向と反対の側方へ研磨体３の角質除去位置を変移させて、研磨体３による研磨姿勢をより安定性のある無理のないものにしている。
【００２３】
この傾斜角度Ｑは９０°ないし１８０°を除く範囲であれば施療のしやすさの効果を得ることができる。さらに言えば、考案者の鋭意検討の結果、１０５°以上１７５°以下の範囲にあることが少なくとも好ましく、中でも１３０°以上１６０°以下の範囲内に或ることがさらに好ましいことが検証された。前者の範囲は、片手に棒状のハンドル１を握った際に逆側のひざやひじへハンドル１の先を押し当てるときに、ひざや足の角度、及び握り方を変えることで手首や上半身の無理なひねりを生じさせることなく使用できる範囲であり、後者の範囲は、ひざや足の角度を変えることなく押し当てるときに、手首や上半身の無理なひねりを生じさせることなく使用できる範囲である。なお、実際に傾斜角度を１０度ずつずらした研磨機を、２０才〜５０才の年齢層の男女２０人の試験施療者で、握り方を変えることなく自身の肘、膝、および踵への押し当て姿勢の試験を行ったところ、過半数である１１人以上が「肘、膝、踵のすべてで身体的な苦痛を感じなかった範囲」として指摘した傾斜角度の共通範囲は１３０°以上１６０°以下であった。実際には一般的な成人の使用者が握り方を変えることで、握り力を極端に弱めることなく１０°ないし１５°前後の角度調整が可能であるため、一般的な成人の使用に適した傾斜角度の範囲は少なくとも１０５°以上１７５°以下、中でも１１０°以上１７０°以下となる。
【００２４】
以下、実施例の各構成について詳述する。
【００２５】
（ハンドル１）
ハンドル１は、図１のように、長さ方向の過半部が所定のハンドル軸１Ａに沿って直線的に伸長する棒状体である。過半部が直線的に伸長して使用者のにぎり軸が規定されていれば、全体が緩やかに湾曲したり、下端ないし上端部が湾曲していてもよい。とくに、上端部はハンドル軸１Ａと異なる傾斜軸２Ａで伸長するヘッドと連なる関係上、傾斜軸２Ａの傾斜方向へ緩やかに又は急激に曲がって形成されていてもよい。下端部には取り外し式の電池蓋１２が設けられ、電池蓋１２を取り外すことで内部にモータ６Ｍの駆動用電池が収納される。側部にはハンドル軸１Ａ方向にスライドさせるスライド式のスイッチ１１が設けられる（図１）。ハンドル１の内部上端側には図３のように、駆動機構であるモータ６Ｍをハンドル軸１Ａに沿って中央に固定収容し、モータ６Ｍのシャフト６Ｓがハンドル軸１Ａ上方に沿って内部配置する。このシャフト６Ｓに第三ギヤ６３，第二ギヤ６２，第一ギヤ６３が順に噛合して傾斜角度分だけ角度変移した回転軸３Ａまで駆動力を伝達させる。
【００２６】
（ヘッド２）
ヘッド２は、ハンドル軸１Ａの先側からさらに伸長し、伸長基部及び伸長先部にそれぞれ側方突出した突出保持部を有し、各突出保持部で研磨体の回転軸の両端を保持する。具体的には、前記傾斜方向側と逆側の側方へそれぞれ突出した２つの突出保持部２１２を有し、突出保持部２１２の間を、部分楕円球体のヘッド側部２２及び球冠状のヘッド先部２３で一体的に繋いでなる。但し、この部分楕円球体の片側側方であって突出保持部の間に位置する部分には、前記傾斜方向側に窪んだ、湾曲立体面からなる凹面２１０が形成される。凹面２１０の側辺を構成する凹部側縁２１は先側が基部側よりも大きい曲率で凹湾曲した片偏湾曲形状となっており、曲率を一定とした側縁仮想線２１Ｖよりも先側が窪んで形成される（図１）。先側突出保持部２１２の先部内側であって回転軸３Ａの一端部には、軸棒３２を差し込み保持しつつ、内部のボタン凸部５２の押し出しによって保持解除し得るための保持孔２１２Ｈが形成される。この保持孔２１２Ｈの内部には、リリース機構５の押しボタン５１の先片のボタン凸部５２が収容される。押しボタン５１はそれ自体がバネ板からなると共に側部に備えた弾性材５３によって弾性付勢された状態で先側突出保持部２１２の先部内に収納される。ヘッド先部２３にはリリース機構５の押しボタン５１が組み込まれて露出する。一方、基部側突出保持部２１２の先部内側であって回転軸３Ａの他端部には、軸棒３２を差し込み保持するための保持孔２１２Ｈが形成される。この保持孔２１２Ｈの内部には、リリース機構５の押しボタン５１の先片のボタン凸部５２が収容される。押しボタン５１はそれ自体がバネ板からなると共に側部に備えた弾性材５３によって弾性付勢された状態で先側突出保持部２１２の先部内に収納される。ヘッド先部２３にはリリース機構５の押しボタン５１が組み込まれて露出する。
【００２７】
ヘッド２の離間した２つの突出保持部２１２は、各内側の円弧状板からなるコーナー縁部の板面内で研磨体を挟んで保持するものであり、突出保持部の間に、前記傾斜方向側に窪んだ凹面を有してなり、研磨体と凹面との間に所定の凹部空間が形成される。
【００２８】
〔研磨体３〕
研磨体３は軸方向位置の変化に伴って回転径が徐々に変位（拡径または縮径）する径変位部を有した回転体からなる。具体的には、軸方向位置の変化に伴って回転径が徐々に変位する径変位部を有した回転体からなる。両端が窄まった楕円球からなり、中央の大径部は小径部の１．５倍乃至２倍の径変位となっている。研磨角部２１Ｅはカバー体４によって覆われて露出しなくなる。内部には第一軸棒３２１、第二軸棒３２２が遊嵌部３２Ｊによってつながれてなることで軸方向に伸縮可能な軸棒３２を有する。軸棒３２は周囲を亘るコイルばね３３によって弾性付勢されて研磨体３の両端の先へ突出する。
【００２９】
（カバー体４）
カバー体４は、図１〜図５のように、研磨体３の一部が露出するカバー開口４０を有して、カバー開口４０の両端に離間配置された二つの湾曲横枠４２と、湾曲横枠４２の各端同士を亘る２つの板状のカバー板４３とからなる、一体的な湾曲板材で構成される。装着状態では、図４及び図５のように、両側のカバー板４３によって研磨体３の回転軸３Ａを含む過半部、研磨体３とヘッド２の凹面２１との間に形成される凹部空間２０、及び、ヘッド２の左右の凹部側縁２１を両側からまとめて覆い、また湾曲横枠４２によって研磨体３の端部から突出保持部２１２の全体までをまとめて覆う状態となる。カバー板４３には、カバー開口４０側の片側辺に沿ってカバー板４３に対して折曲形成された、湾曲板からなるカバー開口縁４１が形成される。また、湾曲横枠４２には、カバー開口４０の両縁の内側辺に沿って枠内壁４６が折曲形成される。さらに枠内壁４６の内面及び外面にはそれぞれ、図２に示すような角状切欠き４６１，湾曲切欠き４６２が形成される。これは、カバー体４の装着状態にて図４、図５のように研磨体３の側部及び両端を大きな隙間なく立体的に囲い、凹部空間２０を研磨によって生じた研磨屑の収容部とするものである。装着状態で凹部空間２０内部を視認できるよう、カバー体４は透過性を有する板材で構成されてもよい。
カバー板４３は先部中央部分の内側に矩形板状の係止突起４４が突出形成され、この係止突起４４はカバー開口縁の中央に設けられた係止穴２４に嵌入して係止する（図２，図３）。またカバー板４３は先部中央部分の外側（係止突起４４の反対側）に、係止突起４４の矩形板面と同一面を有した円弧板状の操作片４５が突出形成される（図１，図２，図５）。カバー体４はその一体的な湾曲板材の全体またはすくなくともカバー板４３の板材を含む一部が弾性材で構成され、この操作片４５を持って外側へ開くように動かすことで弾性変形して、ヘッド２への装着状態を解除される。
【００３０】
上記のような構成であれば、研磨体の患部当接箇所を変えることで、患部への当接角度を様々なものに容易に調整することができる。特に、ハンドル１を周方向にずらして保持し、研磨体３の傾斜方向を変えて研磨体の径変位部を、患部周囲の任意の方向から当接させることで、突出形状の患部を突出頂部からその周囲にかけて研磨処置することができる。このとき、使用者から見て患部の向こう側も容易に研磨処置できる。
【００３１】
その他種々の構成の変更、サイズや角度変更乃至省略が可能である。なお符号は理解のために便宜的に付したものであり、内容や形状を限定する趣旨ではない。
【符号の説明】
【００３２】
１  ハンドル
１１  スイッチ
１２  電池蓋
２  施療ヘッド
２０  凹部空間
２１  凹部側縁
（２１Ｖ  側縁仮想線）
２１０  凹面
２１２  上下縁部
２１２Ｈ  保持孔
２１Ｅ  コーナー縁部
２２  ヘッド側部
２３  ヘッド先部
２４  係止穴
３  研磨体
３１  研磨凸面
３１Ｅ  研磨角部
３２  軸棒
３２１  第一軸棒
３２２  第二軸棒
３２Ｊ  遊嵌部
３３  コイルばね
４  カバー体
４１  カバー開口縁
４２  横枠
４３  カバー板
４４  係止突起
４５  操作片
４６  枠内壁
４６１  内窪み
４６２  外窪み
５  リリースボタン
５１  ボタン基部
５２  ボタン凸部
５３  弾性材
６Ｈ  軸穴
６１  第一ギヤ
６２  第二ギヤ
６３  第三ギヤ
６Ｓ  シャフト
６Ｍ  モータ
【図１】
0003211134.tif 000003
【図２】
0003211134.tif 000004
【図３】
0003211134.tif 000005
【図４】
0003211134.tif 000006
【図５】
0003211134.tif 000007
【手続補正書】
【提出日】平成29年1月30日(2017.1.30)
【手続補正１】
【補正対象書類名】実用新案登録請求の範囲
【補正対象項目名】全文
【補正方法】変更
【補正の内容】
【実用新案登録請求の範囲】
【請求項１】
長さ方向の過半部が所定のハンドル軸に沿って伸長するハンドルと、
ハンドル軸の先側からさらに伸長し、伸長基部及び伸長先部にそれぞれ側方突出した突出保持部を有し、各突出保持部で研磨体の回転軸の両端を保持するヘッドと、
表面を研磨面とする回転体形状からなり、２つの突出保持部によって軸回転可能に保持された研磨体と、
突出保持部ないしハンドルに内装されて研磨体を回転駆動させる駆動機構と、を具備する角質除去器であって、
ハンドルの伸長軸に対する研磨体の回転軸の開き角度が９０超１８０未満の傾斜角度となるよう、研磨体の回転軸を傾斜変位させたことを特徴とする角質除去器。
【請求項２】
前記研磨体は、軸方向位置の変化に伴って回転径が徐々に変位する径変位部を有した回転体からなる請求項１記載の角質除去器。
【請求項３】
前記ヘッドは、前記傾斜変位の方向と逆側の側方へそれぞれ突出した２つの突出保持部を有し、離間した２つの突出保持部によって研磨体を挟んで保持するものであり、突出保持部の間に、前記傾斜方向側に窪んだ凹面を有してなり、研磨体と凹面との間に所定の凹部空間が形成される請求項１又は２記載の角質除去器。
【請求項４】
前記研磨体の少なくとも一部、及び、前記凹部空間をまとめて覆うカバー体を、ヘッドの一部に着脱可能に具備する請求項３記載の角質除去器。
【請求項５】
前記カバー体は、装着した状態で研磨体の一部を露出させる露出孔部を有してなり、カバー体を装着した状態で研磨体を回転駆動させ得る請求項４に記載の角質除去器。
【手続補正書】
【提出日】平成29年5月8日(2017.5.8)
【手続補正１】
【補正対象書類名】実用新案登録請求の範囲
【補正対象項目名】全文
【補正方法】変更
【補正の内容】
【実用新案登録請求の範囲】
【請求項１】
長さ方向の過半部が所定のハンドル軸に沿って伸長するハンドルと、
ハンドル軸の先側からさらに伸長し、伸長基部及び伸長先部にそれぞれ側方突出した突出保持部を有し、各突出保持部で研磨体の回転軸の両端を保持するヘッドと、
表面を研磨面とする回転体形状からなり、２つの突出保持部によって軸回転可能に保持された研磨体と、
突出保持部ないしハンドルに内装されて研磨体を回転駆動させる駆動機構と、を具備する角質除去器であって、
ハンドルの伸長軸に対する研磨体の回転軸の開き角度が９０超１８０未満の傾斜角度となるよう、研磨体の回転軸を傾斜変位させたことを特徴とする角質除去器。
【請求項２】
前記研磨体は、軸方向位置の変化に伴って回転径が徐々に変位する径変位部を有した回転体からなる請求項１記載の角質除去器。
【請求項３】
前記ヘッドは、前記傾斜変位の方向と逆側の側方へそれぞれ突出した２つの突出保持部を有し、離間した２つの突出保持部によって研磨体を挟んで保持するものであり、突出保持部の間に、前記傾斜変位の方向に窪んだ凹面を有してなり、研磨体と凹面との間に所定の凹部空間が形成される請求項１又は２記載の角質除去器。
【請求項４】
前記研磨体の少なくとも一部、及び、前記凹部空間をまとめて覆うカバー体を、ヘッドの一部に着脱可能に具備する請求項３記載の角質除去器。
【請求項５】
前記カバー体は、装着した状態で研磨体の一部を露出させる露出孔部を有してなり、カバー体を装着した状態で研磨体を回転駆動させ得る請求項４に記載の角質除去器。